(57)【要約】【課題】１円玉または５円玉という少額の硬貨を減らし、「生きた金」として活用できる自動販売機及び自動販売機を利用した金融システムを提供する。【解決手段】１円玉及び５円玉からなる少額の硬貨等を投入可能な貨幣投入口２と、貨幣の金額を計算する投入貨幣計算部３と、利用者を認証する認証部４と、商品を保管する商品保管部５と、商品を取り出すための商品取り出し口６と、釣り銭を返却するための釣り銭返却口７と、外部の認証サーバ及び指定口座情報格納サーバと通信する通信部８と、これらの各部に所定の動作を起こさせる制御部９とを備えた自動販売機１であって、利用者が、商品を購入する選択を行い、釣り銭が発生した場合、制御部９は、当該釣り銭の全部の合算額、または当該釣り銭のうちの全ての１円玉及び５円玉を含む当該釣り銭の一部を、指定口座情報格納サーバに格納された当該利用者の指定口座に入金する。【選択図】      図２
2004152228.tif 000002
【特許請求の範囲】
【請求項１】
１円玉及び５円玉からなる少額の硬貨を含む貨幣を投入可能な貨幣投入口と、投入された貨幣の金額を計算する投入貨幣計算部と、利用者を認証する認証手段と、上記利用者が購入する商品を保管する商品保管部と、利用者が購入した商品を取り出すための商品取り出し口と、商品購入時に発生する釣り銭を返却するための釣り銭返却口と、外部の認証サーバ及び指定口座情報格納サーバと通信する通信部と、上記投入貨幣計算部、上記認証手段及び上記通信部と接続され、これらの各部に所定の動作を起こさせる制御部とを備え、上記認識手段は、上記通信部を介して上記外部の認証サーバと情報の送受信を行い利用者を認証し、
上記認証された利用者が、上記貨幣を上記貨幣投入口へ投入し、商品を購入する選択を行うと、上記投入貨幣計算部は、当該投入された貨幣の金額を計算し、選択された商品の価格より当該投入金額が多く、釣り銭が発生した場合、上記制御部は、当該釣り銭の全部の合算額、または当該釣り銭のうちの全ての１円玉及び５円玉を含む当該釣り銭の一部を、上記指定口座情報格納サーバに格納された当該利用者の指定口座に入金することを特徴とする自動販売機。
【請求項２】
１円玉及び５円玉からなる少額の硬貨を含む貨幣を投入可能な貨幣投入口と、投入された貨幣の金額を計算する投入貨幣計算部と、利用者を認証する認証手段と、上記利用者が購入する商品を保管する商品保管部と、利用者が購入した商品を取り出すための商品取り出し口と、商品購入時に発生する釣り銭を返却するための釣り銭返却口と、外部の認証サーバ及び指定口座情報格納サーバと通信する通信部と、上記投入貨幣計算部、上記認証手段及び上記通信部と接続され、これらの各部に所定の動作を起こさせる制御部とを備え、上記認識手段は、上記通信部を介して上記外部の認証サーバと情報の送受信を行い利用者を認証し、
上記認証された利用者が、上記貨幣を投入せずに、商品を購入する選択を行うと、上記制御部は、上記通信部を介して、上記指定口座情報格納サーバに接続し、選択された商品の価格を上記指定口座から引き落とす動作か、または購入した商品の価格が残高より多い場合はその手続を無効とする動作かもしくは残高を超えた部分を借入金として計算して上記指定口座に反映させる動作を行うことを特徴とする自動販売機。
【請求項３】
１円玉及び５円玉からなる少額の硬貨を含む貨幣を投入可能な貨幣投入口と、投入された貨幣の金額を計算する投入貨幣計算部と、利用者を認証する認証手段と、上記利用者が購入する商品を保管する商品保管部と、利用者が購入した商品を取り出すための商品取り出し口と、商品購入時に発生する釣り銭を返却するための釣り銭返却口と、外部の認証サーバ及び指定口座情報格納サーバと通信する通信部と、上記投入貨幣計算部、上記認証手段及び上記通信部と接続され、これらの各部に所定の動作を起こさせる制御部とを備え、上記認識手段は、上記通信部を介して上記外部の認証サーバと情報の送受信を行い利用者を認証し、
１）上記認証された利用者が、上記貨幣を上記貨幣投入口へ投入した場合、上記投入貨幣計算部は、当該投入された貨幣の金額を計算し、上記制御部は、上記通信部を介して上記指定口座情報格納サーバに接続し、当該指定口座情報格納サーバに格納された上記利用者の指定口座に当該投入金額を入金する、
２）上記認証された利用者が上記指定口座からの引き落としを要求した場合、制御部は、上記通信部を介して、上記指定口座情報格納サーバに接続し、当該指定口座情報格納サーバに格納された上記利用者の指定口座から要求された金額を引き落して上記釣り銭返却口に当該要求された金額に相当する貨幣を送出する動作をし、その要求された金額が上記利用者の指定口座内の残高より多い場合には、その手続を無効とする動作、または残高を超えた部分を借入金として計算して上記指定口座に反映させかつ上記釣り銭返却口に当該要求された金額に相当する貨幣を送出する動作のいずれかの動作を行うこと、
３）上記認証された利用者が、上記貨幣を上記貨幣投入口へ投入し、商品を購入する選択を行うと、上記投入貨幣計算部は、当該投入された貨幣の金額を計算し、選択された商品の価格より当該投入金額が多く、釣り銭が発生した場合、上記制御部は、当該釣り銭の全部の合算額、または当該釣り銭のうちの全ての１円玉及び５円玉を含む当該釣り銭の一部を、上記指定口座情報格納サーバに格納された当該利用者の指定口座に入金する、
４）上記認証された利用者が、上記貨幣を投入せずに、商品を購入する選択を行うと、上記制御部は、上記通信部を介して、上記指定口座情報格納サーバに接続し、選択された商品の価格を上記指定口座から引き落とす動作か、または購入した商品の価格が残高より多い場合はその手続を無効とする動作かもしくは残高を超えた部分を借入金として計算して上記指定口座に反映させる動作を行う、
上記１）から４）を選択的に１つあるいは複数行うことが可能なことを特徴とする自動販売機。
【請求項４】
前面部にディスプレイを設け、このディスプレイに、前記利用者が投入した貨幣の金額に関する情報の表示、前記利用者が受け取る釣り銭の金額に関する情報の表示、前記利用者が、前記釣り銭を前記指定口座に入金させることを選択するための選択表示、前記利用者の指定口座の残高に関する情報の表示のうちの少なくともいずれか１つの表示を可能とすることを特徴とする請求項３記載の自動販売機。
【請求項５】
前記制御部は、商品購入後、前記指定口座の残高のうち、１円単位を除く金額を、前記釣り銭返却口から１０円以上の硬貨または紙幣にて引き出し可能とすることを特徴とする請求項１から４のいずれか１項記載の自動販売機。
【請求項６】
上記貨幣投入口は、複数の硬貨を一緒に投入することが可能なことを特徴とする請求項１から５のいずれか１項記載の自動販売機。
【請求項７】
１円玉及び５円玉からなる少額の硬貨を含む貨幣を投入可能な貨幣投入口と、投入された貨幣の金額を計算する投入貨幣計算部と、利用者を認証する認証手段と、上記利用者が購入する商品を保管する商品保管部と、利用者が購入した商品を取り出すための商品取り出し口と、商品購入時に発生する釣り銭を返却するための釣り銭返却口と、外部の認証サーバ及び指定口座情報格納サーバと通信する通信部と、上記投入貨幣計算部、上記認証手段及び上記通信部と接続され、これらの各部に所定の動作を起こさせる制御部とを備え、上記認識手段は、上記通信部を介して上記外部の認証サーバと情報の送受信を行い利用者を認証し、
１）上記認証された利用者が、上記貨幣を上記貨幣投入口へ投入した場合、上記投入貨幣計算部は、当該投入された貨幣の金額を計算し、上記制御部は、上記通信部を介して上記指定口座情報格納サーバに接続し、当該指定口座情報格納サーバに格納された上記利用者の指定口座に当該投入金額を入金する、
２）上記認証された利用者が上記指定口座からの引き落としを要求した場合、制御部は、上記通信部を介して、上記指定口座情報格納サーバに接続し、当該指定口座情報格納サーバに格納された上記利用者の指定口座から要求された金額を引き落して上記釣り銭返却口に当該要求された金額に相当する貨幣を送出する動作をし、その要求された金額が上記利用者の指定口座内の残高より多い場合には、その手続を無効とする動作、または残高を超えた部分を借入金として計算して上記指定口座に反映させかつ上記釣り銭返却口当該要求された金額に相当する貨幣を送出する動作のいずれかの動作を行うこと、
３）上記認証された利用者が、上記貨幣を上記貨幣投入口へ投入し、商品を購入する選択を行うと、上記投入貨幣計算部は、当該投入された貨幣の金額を計算し、選択された商品の価格より当該投入金額が多く、釣り銭が発生した場合、上記制御部は、当該釣り銭の全部の合算額、または当該釣り銭のうちの全ての１円玉及び５円玉を含む当該釣り銭の一部を、上記指定口座情報格納サーバに格納された当該利用者の指定口座に入金する、
４）上記認証された利用者が、上記貨幣を投入せずに、商品を購入する選択を行うと、上記制御部は、上記通信部を介して、上記指定口座情報格納サーバに接続し、選択された商品の価格を上記指定口座から引き落とす動作か、または購入した商品の価格が残高より多い場合はその手続を無効とする動作かもしくは残高を超えた部分を借入金として計算して上記指定口座に反映させる動作を行う、
上記１）から４）を選択的に１つあるいは複数行うことが可能な自動販売機を１つまたは複数備えると共に、
通信機能を備えたパーソナルコンピュータ、ＰＤＡ、携帯電話等のクライアント端末を用いて上記指定口座情報格納サーバに接続し、当該指定口座情報格納サーバ内に上記指定口座を開設することが可能なことを特徴とする自動販売機を利用した金融システム。
【請求項８】
前記指定口座を開設するためのウェブサイト上あるいは他のウェブサイト上にインターネットショップを設け、前記利用者がこのインターネットショップで商品を購入すると、この商品の購入代金が前記指定口座から引き落とされることを特徴とする請求項７記載の自動販売機を利用した金融システム。
【請求項９】
前記認証手段は、前記指定口座の開設後に発行された、個人認証用の識別記号を付したＩＤカードを読み取るカードリーダーを含むことを特徴とする請求項７または８記載の自動販売機を利用した金融システム。
【請求項１０】
前記認証手段は、指紋情報に基づいて、利用者を識別する指紋情報読み取り機を含むことを特徴とする請求項７または８記載の自動販売機を利用した金融システム。
【発明の詳細な説明】
【０００１】
【発明の属する技術分野】
本発明は、自動販売機及び自動販売機を利用した金融システムに関する。
【０００２】
【従来の技術】
従来より、インターネットに接続可能なコンピュータが組み込まれた、缶入り飲料あるいは煙草等の自動販売機が開示されている（例えば、特許文献１参照。）。また、インターネットを介して自動販売機管理サーバに接続され、予約注文を受けることが可能な自動販売機も開示されている（例えば、特許文献２参照。）。
【０００３】
【特許文献１】
特開２００１−３０７２２０号公報
【特許文献２】
特開２００２−２５１６５４号公報
【０００４】
【発明が解決しようとする課題】
消費税導入後の我が国では、１円玉または５円玉という少額の硬貨が、消費税導入以前に比べて、より多く流通するようになっている。しかし、その流通の多くは、店側から一般の消費者に対しての一方通行である場合が多く、個人の財布の中及び貯金箱等には、買い物の際に受け取る少額の硬貨が溜まりがちである。
【０００５】
これらの硬貨は、消費者各人が社会生活において使用しないと、永遠に市場経済に流通しない「死んだ金」となってしまう。したがって、国家は、この消費者の家庭に溜め込まれてしまった「死んだ金」を補填するために、毎年の如く、新しい硬貨を多量に発行しなければならず、経済政策上、好ましくない状況が発生することとなる。
【０００６】
なお、消費者は、商店またはスーパーマーケット等の対人販売で商品を購入する場合、少額の硬貨を使って、購入金額の一部となる端数の部分（消費税導入以降、価格に端数が出る場合が多い）を支払うことは可能だが、それでもやはり財布等には、硬貨が溜まりがちとなる。
【０００７】
このような事情から、少額の硬貨は、市場では使われず、各人の自宅に持ち帰られて貯金箱等に貯金されている可能性は高い。これらの硬貨はある程度貯まってもそれは少額であるため、買える商品は多くない。つまり、消費者が商品を購入する際、あまりに多い枚数の少額硬貨を使用することはできない。数える手間が生じる為、商店側に敬遠されるからである。
【０００８】
したがって、消費者は、硬貨がある程度貯まった場合、それを紙幣などの高額の貨幣と両替したいと考えるが、貯まった硬貨を、銀行等の金融機関に持ち運ぶのは不便である。このため、少額の硬貨は、貯まる一方で、使用の機会がなかなか訪れない。加えて、不便であるが故に、貯まった硬貨を家のどこかに紛失してしまう可能性もある。
【０００９】
特許文献１には、硬貨（コイン）で商品を購入できる上に、インターネットに接続され、カード決済も可能な自動販売機が開示されている。この特許文献１記載の自動販売機によれば、硬貨を持ち歩かなくてもカード決済により、商品を購入できるメリットがある。しかし、特許文献１記載の発明は、対面販売等を利用することにより貯まった１円玉または５円玉という少額の硬貨を減らすことができない。
【００１０】
また、特許文献２には、予めウェブサイト上で注文の予約ができ、その予約注文をした商品を受け取ることが可能な自動販売機が開示されている。この特許文献２の自動販売機によれば、予約注文を受けることにより、販売個数の予想をすることが可能となるため、商品の補充を効率良く行うことができる。しかし、この特許文献２記載の発明も、特許文献１のそれと同様、貯まっていく少額の硬貨を減らすことができない。
【００１１】
本発明の目的は、上述の問題点に鑑みて、１円玉または５円玉という少額の硬貨を減らし、「生きた金」として活用できる自動販売機及び自動販売機を利用した金融システムを提供することにある。
【００１２】
【課題を解決するための手段】
かかる目的を達成するため、本発明は、１円玉及び５円玉からなる少額の硬貨を含む貨幣を投入可能な貨幣投入口と、投入された貨幣の金額を計算する投入貨幣計算部と、利用者を認証する認証手段と、利用者が購入する商品を保管する商品保管部と、利用者が購入した商品を取り出すための商品取り出し口と、商品購入時に発生する釣り銭を返却するための釣り銭返却口と、外部の認証サーバ及び指定口座情報格納サーバと通信する通信部と、投入貨幣計算部、認証手段及び通信部と接続され、これらの各部に所定の動作を起こさせる制御部とを備え、認識手段は、通信部を介して外部の認証サーバと情報の送受信を行い利用者を認証し、認証された利用者が、貨幣を貨幣投入口へ投入し、商品を購入する選択を行うと、投入貨幣計算部は、当該投入された貨幣の金額を計算し、選択された商品の価格より当該投入金額が多く、釣り銭が発生した場合、制御部は、当該釣り銭の全部の合算額、または当該釣り銭のうちの全ての１円玉及び５円玉を含む当該釣り銭の一部を、指定口座情報格納サーバに格納された当該利用者の指定口座に入金することを特徴としている。
【００１３】
上述の発明によれば、街中等に存在する自動販売機を利用して商品を購入する際に発生した釣り銭を全部、または纏まらないとそれほど利用価値のない、そして纏まった額となるとそれなりに嵩張ると共に重量の大きい少額の貨幣（１円玉及び５円玉）を含む釣り銭の一部を指定口座に入金することができる。そのため、利用者は、商品購入後に細かい釣り銭が発生しても、それを財布やポケットに入れて長時間持ち歩き自宅に持ち帰る必要がない。また、上述の発明では、１円玉及び５円玉という少額の硬貨を貨幣投入口へ投入することができるため、従来、自宅の貯金箱等に貯められて有効利用される機会がなかなか巡ってこない少額の硬貨を有効利用することができる。
【００１４】
また、他の発明は、１円玉及び５円玉からなる少額の硬貨を含む貨幣を投入可能な貨幣投入口と、投入された貨幣の金額を計算する投入貨幣計算部と、利用者を認証する認証手段と、利用者が購入する商品を保管する商品保管部と、利用者が購入した商品を取り出すための商品取り出し口と、商品購入時に発生する釣り銭を返却するための釣り銭返却口と、外部の認証サーバ及び指定口座情報格納サーバと通信する通信部と、投入貨幣計算部、認証手段及び通信部と接続され、これらの各部に所定の動作を起こさせる制御部とを備え、認識手段は、通信部を介して外部の認証サーバと情報の送受信を行い利用者を認証し、認証された利用者が、貨幣を投入せずに、商品を購入する選択を行うと、制御部は、通信部を介して、指定口座情報格納サーバに接続し、選択された商品の価格を指定口座から引き落とす動作か、または購入した商品の価格が残高より多い場合はその手続を無効とする動作かもしくは残高を超えた部分を借入金として計算して指定口座に反映させる動作を行うことを特徴としている。
【００１５】
上述の発明によれば、街中等に存在する自動販売機を利用して、貨幣を使用せずに商品の購入を行うことができる。また、上述の発明では、１円玉及び５円玉という少額の硬貨を貨幣投入口へ投入することができるため、従来、自宅の貯金箱等に貯められて有効利用される機会がなかなか巡ってこない少額の硬貨を有効利用することができる。加えて、商品の価格が、指定口座に残高を越える場合でも、その残高を超えた部分を借入金として計算して指定口座にそれを反映させるため、商品を購入することができる。
【００１６】
また、他の発明によれば、１円玉及び５円玉からなる少額の硬貨を含む貨幣を投入可能な貨幣投入口と、投入された貨幣の金額を計算する投入貨幣計算部と、利用者を認証する認証手段と、利用者が購入する商品を保管する商品保管部と、利用者が購入した商品を取り出すための商品取り出し口と、商品購入時に発生する釣り銭を返却するための釣り銭返却口と、外部の認証サーバ及び指定口座情報格納サーバと通信する通信部と、投入貨幣計算部、認証手段及び通信部と接続され、これらの各部に所定の動作を起こさせる制御部とを備え、認識手段は、通信部を介して外部の認証サーバと情報の送受信を行い利用者を認証し、
１）認証された利用者が、貨幣を貨幣投入口へ投入した場合、投入貨幣計算部は、当該投入された貨幣の金額を計算し、制御部は、通信部を介して指定口座情報格納サーバに接続し、当該指定口座情報格納サーバに格納された利用者の指定口座に当該投入金額を入金する、
２）認証された利用者が指定口座からの引き落としを要求した場合、制御部は、通信部を介して、指定口座情報格納サーバに接続し、当該指定口座情報格納サーバに格納された利用者の指定口座から要求された金額を引き落して釣り銭返却口に当該要求された金額に相当する貨幣を送出する動作をし、その要求された金額が利用者の指定口座内の残高より多い場合には、その手続を無効とする動作、または残高を超えた部分を借入金として計算して指定口座に反映させかつ釣り銭返却口に当該要求された金額に相当する貨幣を送出する動作のいずれかの動作を行うこと、
３）認証された利用者が、貨幣を貨幣投入口へ投入し、商品を購入する選択を行うと、投入貨幣計算部は、当該投入された貨幣の金額を計算し、選択された商品の価格より当該投入金額が多く、釣り銭が発生した場合、制御部は、当該釣り銭の全部の合算額、または当該釣り銭のうちの全ての１円玉及び５円玉を含む当該釣り銭の一部を、指定口座情報格納サーバに格納された当該利用者の指定口座に入金する、
４）認証された利用者が、貨幣を投入せずに、商品を購入する選択を行うと、制御部は、通信部を介して、指定口座情報格納サーバに接続し、選択された商品の価格を指定口座から引き落とす動作か、または購入した商品の価格が残高より多い場合はその手続を無効とする動作かもしくは残高を超えた部分を借入金として計算して指定口座に反映させる動作を行う、
上記１）から４）を選択的に１つあるいは複数行うことが可能なことを特徴としている。
【００１７】
上述の発明によれば、街中に多数存在する自動販売機を利用して、１円玉及び５円玉という少額の硬貨を、指定口座に入金して貯金したり、その貯金を引き出したり、あるいは貨幣を投入して商品を購入する際に発生する釣り銭を指定口座に入金したり、貨幣を使用せずに商品の購入を行うことができる。加えて、上述の発明では、１円玉及び５円玉という少額の硬貨を貨幣投入口へ投入することができるため、従来、自宅の貯金箱等に貯められて有効利用される機会がなかなか巡ってこない少額の硬貨を有効利用することができる。
【００１８】
また、他の発明は、上述の各自動販売機において、前面部にディスプレイを設け、このディスプレイに、利用者が投入した貨幣の金額に関する情報の表示、利用者が受け取る釣り銭の金額に関する情報の表示、利用者が、釣り銭を指定口座に入金させることを選択するための選択表示、利用者の指定口座の残高に関する情報の表示のうちの少なくともいずれか１つの表示を可能とすることを特徴としている。
【００１９】
上述の発明によれば、前面部にディスプレイが設けられ、このディスプレイに種々の情報が表示されるため、利用者はその表示にしたがって種々の行為を容易に行うことができる。
【００２０】
また、他の発明は、上述の各自動販売機において、制御部は、商品購入後、指定口座の残高のうち、１円単位を除く金額を、釣り銭返却口から１０円以上の硬貨または紙幣にて引き出し可能とすることを特徴としている。
【００２１】
上述の発明によれば、商品購入後に発生する釣り銭のうち、端数となる金額、例えば、１円玉や５円玉といった１円単位の少額の貨幣を財布やポケットに収納せずに、通信により指定口座に入金して貯金することができる。そのため、自宅に持ち帰った後に、自宅の貯金箱等に貯められて、有効利用される機会がなかなか巡ってこない少額の硬貨を有効利用することができる。
【００２２】
また、他の発明は、上述の各自動販売機において、貨幣投入口は、複数の硬貨を一緒に投入することが可能なことを特徴としている。そのため、硬貨の投入動作が容易でかつ短時間となる。
【００２３】
また、本発明の自動販売機を利用した金融システムは、１円玉及び５円玉からなる少額の硬貨を含む貨幣を投入可能な貨幣投入口と、投入された貨幣の金額を計算する投入貨幣計算部と、利用者を認証する認証手段と、利用者が購入する商品を保管する商品保管部と、利用者が購入した商品を取り出すための商品取り出し口と、商品購入時に発生する釣り銭を返却するための釣り銭返却口と、外部の認証サーバ及び指定口座情報格納サーバと通信する通信部と、投入貨幣計算部、認証手段及び通信部と接続され、これらの各部に所定の動作を起こさせる制御部とを備え、認識手段は、通信部を介して外部の認証サーバと情報の送受信を行い利用者を認証し、
１）認証された利用者が、貨幣を貨幣投入口へ投入した場合、投入貨幣計算部は、当該投入された貨幣の金額を計算し、制御部は、通信部を介して指定口座情報格納サーバに接続し、当該指定口座情報格納サーバに格納された利用者の指定口座に当該投入金額を入金する、
２）認証された利用者が指定口座からの引き落としを要求した場合、制御部は、通信部を介して、指定口座情報格納サーバに接続し、当該指定口座情報格納サーバに格納された利用者の指定口座から要求された金額を引き落して釣り銭返却口に当該要求された金額に相当する貨幣を送出する動作をし、その要求された金額が利用者の指定口座内の残高より多い場合には、その手続を無効とする動作、または残高を超えた部分を借入金として計算して指定口座に反映させかつ釣り銭返却口当該要求された金額に相当する貨幣を送出する動作のいずれかの動作を行うこと、
３）認証された利用者が、貨幣を貨幣投入口へ投入し、商品を購入する選択を行うと、投入貨幣計算部は、当該投入された貨幣の金額を計算し、選択された商品の価格より当該投入金額が多く、釣り銭が発生した場合、制御部は、当該釣り銭の全部の合算額、または当該釣り銭のうちの全ての１円玉及び５円玉を含む当該釣り銭の一部を、指定口座情報格納サーバに格納された当該利用者の指定口座に入金する、
４）認証された利用者が、貨幣を投入せずに、商品を購入する選択を行うと、制御部は、通信部を介して、指定口座情報格納サーバに接続し、選択された商品の価格を指定口座から引き落とす動作か、または購入した商品の価格が残高より多い場合はその手続を無効とする動作かもしくは残高を超えた部分を借入金として計算して指定口座に反映させる動作を行う、
上記１）から４）を選択的に１つあるいは複数行うことが可能な自動販売機を１つまたは複数備えると共に、
通信機能を備えたパーソナルコンピュータ、ＰＤＡ、携帯電話等のクライアント端末を用いて上記指定口座情報格納サーバに接続し、当該指定口座情報格納サーバ内に上記指定口座を開設することが可能なことを特徴としている。
【００２４】
上述の発明によれば、街中に多数存在する自動販売機を利用して、１円玉及び５円玉という少額の硬貨を、指定口座に入金して貯金したり、その貯金を引き出したり、あるいは貨幣を投入して商品を購入する際に発生する釣り銭を指定口座に入金したり、貨幣を使用せずに商品の購入を行うことができる。
【００２５】
上述の発明によれば、街中等に存在する自動販売機を利用して、１円玉及び５円玉という少額の硬貨を、指定口座に入金して貯金することができる。従来のように、自宅の貯金箱等に、このような少額の硬貨を貯金した場合、貯まった少額の硬貨を、日常的に使用される紙幣または１０円、５０円、１００円及び５００円からなる硬貨へ両替するのは面倒である。したがって、少額の硬貨は、貯まる一方で、使用する機会がなかなか訪れず、「生きた金」とならない場合が多い。
【００２６】
しかし、上述の発明によれば、少額の硬貨を街中の自動販売機に投入することにより、自己の指定口座に投入した貨幣が入金され指定口座の残高が増えていくため、この指定口座に貯まったお金で自動販売機で扱っている商品を購入したり等、従来、貯まっていく一方で使い道があまりない少額の硬貨を有効利用することができる。
【００２７】
また、上述の発明によれば、街中等に存在する自動販売機を利用して、指定口座から現金を引き出すことができる。このように、自動販売機で商品を購入するついでに、他の場所で必要となる現金の引き出しも可能となると、生活の利便性が向上する。また、上述の発明では、１円玉及び５円玉という少額の硬貨を、随時、自動販売機の貨幣投入口へ投入して預金することができるため、従来、自宅の貯金箱等に貯められて有効利用される機会がなかなか巡ってこない少額の硬貨を有効利用することができる。
【００２８】
さらに、上述の発明によれば、街中等に存在する自動販売機を利用して商品を購入する際に発生した釣り銭を全部、または纏まらないとそれほど利用価値のない、そして纏まった額となるとそれなりに嵩張ると共に重量の大きい少額の貨幣を含む釣り銭の一部を指定口座に入金するかことができる。そのため、利用者は、商品購入後に細かい釣り銭が発生しても、それを財布やポケットに入れて持ち歩かなくても良い。加えて、上述の発明によれば、街中等に存在する自動販売機を利用して、貨幣を使用せずに商品の購入を行うことができる。
【００２９】
さらに、上述の発明では、インターネットに接続された環境なら、自宅または会社等から指定口座情報格納サーバに接続して口座を開設することができる。したがって、上述のサービスを受けるための申し込みが気軽に行える。
【００３０】
また、他の発明は、上述の自動販売機を利用した金融システムにおいて、指定口座を開設するためのウェブサイト上あるいは他のウェブサイト上にインターネットショップを設け、利用者がこのインターネットショップで商品を購入すると、この商品の購入代金が指定口座から引き落とされることを特徴としている。
【００３１】
上述の発明によれば、街中に多数存在する自動販売機を利用して貯めた金を利用して、インターネットショッピングを行うことができる。このため、自動販売機及びインターネットをさらに利便性の高いものとすることができる。
【００３２】
また、他の発明は、上述の自動販売機を利用した金融システムにおいて、認証手段は、指定口座の開設後に発行された、個人認証用の識別記号を付したＩＤカードを読み取るカードリーダーを含むことを特徴としている。
【００３３】
上述の発明によれば、ＩＤカードを持ち歩くことにより、街中にある自動販売機で認証を受けて指定口座へ貯金をしたり、指定口座から現金を引き出したり等の行為を、容易にかつ安全に行うことができる。
【００３４】
また、他の発明は、上述の自動販売機を利用した金融システムにおいて、認証手段は、指紋情報に基づいて、利用者を識別する指紋情報読み取り機を含むことを特徴としている。
【００３５】
上述の発明によれば、街中にある自動販売機で指紋認証を受けることにより、指定口座へ貯金をしたり、指定口座から現金を引き出したり等の行為を、容易にかつ安全に行うことができる。
【００３６】
【発明の実施の形態】
以下、本発明に係る自動販売機及び自動販売機を利用した金融システムの実施の形態を、図１から図７に基づいて詳細に説明する。
【００３７】
図１は、本発明の自動販売機及び自動販売機を利用した金融システムの構成を示す図である。図２は、自動販売機の内部構成を示したブロック図である。図３は、自動販売機の外観斜視図である。
【００３８】
図１に示すように、自動販売機１は、インターネット２１を介して、当該自動販売機１を利用した金融システムを運営するためのサーバとなるインターネットデータセンター２０に接続されている。ここで、「自動販売機１がインターネット２１を介してインターネットデータセンター２０に接続する」とは、ブルートゥース、ＩｒＤＡ、ＡＤＳＬ、Ｗ−ＣＤＭＡ方式等の種々の通信方法を経由して、自動販売機１がインターネットデータセンター２０に接続される状態を含む。なお、図１では、インターネット２１に接続された自動販売機１が、１台のみ示されているが、複数台の自動販売機１がインターネット２１に接続されていても良い。
【００３９】
自動販売機１は、ペットボトル入り、パック入りもしくは缶入り飲料または煙草等、種々の商品を選択して購入できる機器である。本実施の形態では、例えば、電子部品を搭載した接続ボード、オペレーション・システム（ＯＳ）およびアプリケーション・ソフトを備え、かつインターネット２１に接続可能なインターフェースを付加した、自動販売機を、以下に説明する金融システムの一部として取り込んでいる。
【００４０】
インターネットデータセンター２０は、インターネット２１あるいは専用線といった通信回線を介して、外部の認証サーバ３１、指定口座情報格納サーバ３２、自販機リモートコントロールシステム３３及び暗号文字発生器３４に接続されている。自動販売機１は、インターネット２１に代表される通信回線及びインターネットデータセンター２０を介して、外部の認証サーバ３１、指定口座情報格納サーバ３２、自販機リモートコントロールシステム３３及び暗号文字発生器３４に接続されている。当該金融システムの利用者は、モバイル４１またはパーソナルコンピュータ（ＰＣ）４２等を利用して、インターネット２１を介してインターネットデータセンター２０に接続可能である。
【００４１】
インターネットデータセンター２０には、自動販売機１を利用した金融システムにユーザー登録するためのウェブページ（ユーザーサイト）が格納されている。利用者は、モバイル４１またはパーソナルコンピュータ４２等を用いて、インターネット２１経由で上記ウェブページにアクセスし、当該ウェブページ内で所定の個人情報を入力することにより、当該金融システムを利用する際の指定口座を開設することができる。なお、この指定口座開設時に、利用者が、口座開設用のユーザーサイトを利用してインターネットデータセンター２０へ所定の情報を送信し、当該金融システム専用もしくは通常の一般用のメールアドレスを取得することができるようにしても良い。
【００４２】
なお、このインターネットデータセンター２０内に設けられたウェブページと、指定口座情報格納サーバ３２とは連動している。ウェブページに接続して指定口座を開設したり、本発明の金融システムを利用して指定口座内の残金に変動が生じた場合には、指定口座の開設、または指定口座内の残金の変動に関するの情報は、指定口座情報格納サーバ３２に送られて格納される。
【００４３】
外部の認証サーバ３１とは、個人のＩＤ番号あるいは指紋データを格納するサーバである。また、指定口座情報格納サーバ３２とは、既存の個人銀行口座に関する情報が格納されたサーバまたは当該金融システムのみに運用される個人の指定口座に関する情報が格納されたサーバである。利用者は、携帯電話、モバイル（ＰＤＡ）４１またはパーソナルコンピュータ４２等の通信機能を備えたクライアント端末を用いて、この指定口座情報格納サーバ３２に接続することが可能である。そして、利用者は、この指定口座情報格納サーバ３２にアクセスし、所定の個人情報を送信することにより、指定口座情報格納サーバ３２内に指定口座を開設することができる。
【００４４】
自販機リモートコントロールシステム３３は、当該金融システムを運用管理する業者または自動販売機１へ商品を供給する業者が、インターネット２１を介して、インターネットデータセンター２０に接続されている自動販売機１の保守点検、仕様変更、商品管理及び残額の管理等を遠隔操作することが可能なシステムである。
【００４５】
暗号文字発生器３４は、ＳＭＳを活用したランダムパスワード発行装置で構成されている。なお、暗号文字発生器３４は、他の方式のパスワード発行装置、あるいは情報送信をする際に、当該情報に暗号を付加する装置などで構成されていても良い。なお、本実施の形態では、外部の認証サーバ３１、指定口座情報格納サーバ３２、自販機リモートコントロールシステム３３及び暗号文字発生器３４がそれぞれ別々の構成部で設けられ、各部がインターネットデータセンター２０に接続されているものとしたが、これらは一体的にインターネットデータセンター２０内に格納されているものとしても良い。
【００４６】
図２及び図３に示すように、自動販売機１は、貨幣投入口２と、投入貨幣計算部３と、認証手段となる認証部４と、商品保管部５と、商品取り出し口６と、釣り銭返却口７と、通信部８と、制御部９と、利用情報表示用のディスプレイ１０と、商品ディスプレイ部１１と、商品選択ボタン１２と、情報入力部１３と、貨幣保管部１４と、メモリー１５を有している。この自動販売機１は、前面部に開放可能な扉が設けられ、この扉を開くことにより、その内部に商品、現金、及びその他の部材を装填することができるようになっている。前面部の扉は、開放可能であると共に、管理者によって施錠できるようになっている。
【００４７】
貨幣投入口２は、１円玉及び５円玉からなる少額の硬貨を含む貨幣を投入可能な部位である。この貨幣投入口２の内部には、貨幣が投入されると動作を開始する電源スイッチ（図示省略）が配置され、この電源スイッチがオンになると、制御部９の制御が開始されるように構成されている。
【００４８】
なお、本実施の形態では、硬貨投入口２ａと紙幣投入口２ｂとが、別口となっているが、投入口を１つとし、硬貨と紙幣を同一の口から投入可能としても良い。また、本実施の形態では、硬貨投入口２ａを１つで構成したが、１円玉及び５円玉からなる少額の硬貨（通常、従来の自動販売機では流通されていない硬貨）を投入する投入口と、１０円玉、５０円玉、１００円玉及び５００円玉からなる高額硬貨（通常、従来の自動販売機でも流通している硬貨）を投入する投入口をそれぞれ１つずつ設けても良い。なお、硬貨投入口２ａは、複数の硬貨を一緒に投入することができるものでも良い。
【００４９】
投入貨幣計算部３は、制御部９の制御に基づいて動作し、貨幣投入口２から投入された貨幣の金額を計算する部位である。より具体的には、投入貨幣計算部３は、硬貨検知センサー及び紙幣検知センサーと、各検知センサーで検知された硬貨及び紙幣の券種及び枚数を金額に換算して計算する計算部とから構成されている。投入貨幣計算部３で計算された貨幣の金額に関する情報は、制御部９に送られる。制御部９は、この金額に基づき、自動販売機１の内部に配置されている各部の動作を制御する。
【００５０】
認証部４は、制御部９の制御に基づいて動作し、利用者を識別するための認証部材（例えば、ＩＣカード）の記録内容を認識し、外部の認証サーバ３１から得る識別情報と当該認証部材の記録内容とを照合して当該利用者を認証する部位である。すなわち、認証部４は、ＩＣカードを挿入するＩＣカード挿入口４ａを備えたカードリーダを備え、ＩＣカードが挿入されると、ＩＣカードに書き込まれている情報を読み取ることができる。そして、認証部４は、読み取った情報を制御部９へ送る。制御部９は、通信部８を介して、インターネット２１を経由し、外部の認証サーバ３１に接続する。そして、制御部９は、外部の認証サーバ３１に格納されている当該利用者の識別情報をダウンロードし、この識別情報とＩＣカードから読み取った情報とを照合する。
【００５１】
なお、認証部４は、利用者の指紋を読み取ることにより、利用者を識別する指紋情報読み取り機を備えていても良い。この場合、認証部４は、制御部９の制御に基づいて、外部の認証サーバ３１に接続して得た識別情報（利用者の指紋に関する情報）と、読み取った利用者の指紋とを照合し、利用者を認証する。また、利用者を認証するための情報は、ＩＤ番号、指紋以外の情報、例えば、バーコード、網膜、掌紋でも良い。
【００５２】
商品保管部５は、飲料または煙草等、当該自動販売機１によって販売される商品が格納されている部位である。この商品保管部５は、自動販売機１の筐体内部に配置されている。商品保管部５は、開閉可能な当該自動販売機１の前面部を開くことにより、その内部に商品を供給したり内部から商品を回収したりすることができるようになっている。商品保管部５は、制御部９の制御によって動作し、内部に保管された商品は、利用者が商品の購入を行うと、この商品保管部５から商品取り出し口６へ送られる。
【００５３】
なお、この商品保管部５の内部には、商品の種類及び個数を検出するセンサーが設けられており、商品の種類及び個数を管理可能となっている。商品の種類及び個数の情報は、商品保管部５から制御部９の制御によってインターネット２１経由でインターネットデータセンター２０に送られる。商品保管部５内の商品を管理する業者は、自動販売機リモートコントロールシステム３３からインターネットデータセンター２０を介して自動販売機１に接続し、商品保管部５内の商品に関する情報を常時監視できるようになっている。
【００５４】
商品取り出し口６は、利用者が購入商品を取り出すための部位である。この商品取り出し口６は、当該自動販売機１の前面部に配置されていると共に、筐体内部において商品保管部５と図示しない通路によって連通可能となっている。そして、商品保管部５から放出された商品は、上記通路を通過して商品取り出し口６に送られる。
【００５５】
貨幣保管部１４は、利用者が投入した貨幣を保管する部位であると共に、利用者が商品を購入した際に発生する釣り銭を供給するための部位でもある。さらに、貨幣保管部１４は、利用者が当該自動販売機１の通信機能を利用して指定口座にアクセスし、指定口座から現金を引き出す場合における現金の供給源でもある。
【００５６】
貨幣保管部１４は、自動販売機１の筐体内部に配置され、貨幣投入口２に連通していると共に、釣り銭返却口７とも連通している。貨幣保管部１４は、制御部９の制御によって動作し、内部に保管された貨幣を釣り銭返却口７に供給する。さらに、この貨幣保管部１４は、自動販売機１の前面部を開くことにより、その内部に現金を投入したり内部の現金を回収したりすることができるようになっている。
【００５７】
なお、この貨幣保管部１４内には、当該貨幣保管部１４内に保管された貨幣の金額を検知する検知手段が設けられている。この検知手段で検知された貨幣の金額に関する情報は、貨幣保管部１４から、制御部９の制御によって、インターネット２１経由でインターネットデータセンター２０に送られる。貨幣保管部１４内の貨幣の金額を管理する業者は、自動販売機リモートコントロールシステム３３からインターネットデータセンター２０を介して自動販売機１に接続し、貨幣保管部１４内の貨幣の残額に関する情報を常時監視できる。
【００５８】
釣り銭返却口７は、商品購入時に発生する釣り銭を返却するための部位であると共に、利用者の指定口座から引き落とされる貨幣もしくは借入金となる貨幣を取り出す部位でもある。なお、この実施の形態では、商品購入時の釣り銭の取り出し部と指定口座からの引き落としによって支払われる現金の取り出し部とを釣り銭返却口７で兼用しているが、これらを別々に設けても良い。あるいは、釣り銭用と引き落としの際の供給部を分けるのではなく、排出される現金の券種によって、小銭用の返却口と紙幣用の返却口とに分けるようにしても良い。このように構成された釣り銭返却口７は、自動販売機１の前面部に設けられ、筐体内部で貨幣保管部１４に連通している。
【００５９】
通信部８は、インターネット２１を介して外部の各種サーバと情報の送受信をするための部位であり、通信モデム等の通信機器で構成されている。この通信部８は、制御部９の制御によって動作する。
【００６０】
利用者がＩＣカードをＩＣカード挿入口４ａに投入し、認証部４がＩＣカードに記録された情報を読み取った際に、通信部８は、認証部４の指示によって外部の認証サーバ３１に接続する。また、通信部８は、外部の認証サーバ３１から送られてくる情報を受信して、この情報を制御部９へ送る。
【００６１】
また、通信部８は、利用者が情報入力部１３を利用して所定の情報を入力し、指定口座への入金（商品購入時に発生する釣り銭を指定口座へ入金する場合も含む）、及び指定口座からの貨幣の引き出し等を行う場合、インターネット２１を介して指定口座情報格納サーバ３２に接続する。さらに、通信部８は、指定口座情報格納サーバ３２から送られてくる情報を受信して、この情報を制御部９へ送る。
【００６２】
なお、通信部８は、当該自動販売機１から外部の各種サーバへ情報を送る際に、当該情報の暗号化を行ったり、外部の各種サーバから送られてくる暗号化された情報の解読を行う機能を有している。すなわち、通信部８は、当該自動販売機１から各種サーバに情報を送信する際に、インターネット２１を介して暗号文字発生器３４に接続して、当該暗号文字発生器３４から送信される暗号文を受け取り、これを送信する情報に付加する。
【００６３】
この結果、通信部８から外部の各種サーバーに送信される情報が、暗号化されることとなる。また、各種サーバからインターネット２１を介して送信されてくる情報に付された暗号を解読する機能も有している。なお、情報送信のセキュリティを向上させる為に、本実施の形態では、暗号文字発生器３４に接続して暗号化する方法を採用した。しかし、暗号化に代えて、他の方法によって情報漏洩を防止するようにしても良い。
【００６４】
制御部９は、自動販売機１の内部に配置された各部位の動作を制御するためのものである。制御部９は、利用者が自動販売機１の前面部に配置されたシステム起動ボタン（図示省略）を押すか、または利用者による貨幣投入による自動販売機１の内部に配置された電源スイッチの入力により起動する。
【００６５】
制御部９は、投入貨幣計算部３、認証部４、商品保管部５、通信部８、ディスプレイ１０、商品ディスプレイ部１１、商品選択ボタン１２、情報入力部１３、及び貨幣保管部１４にそれぞれ接続されており、これらの各部位の動作を制御する。
【００６６】
すなわち、制御部９は、各状況に応じて、以下の動作を行う。
【００６７】
まず、第１に、利用者が、貨幣を貨幣投入口２へ投入し、投入貨幣計算部３が、この投入された貨幣の金額を計算した場合、制御部９は、通信部８を介して指定口座情報格納サーバ３２に接続し、当該利用者の指定口座に当該投入金額を入金する動作の制御を行う。なお、貨幣投入口２に投入可能な貨幣は、１円玉及び５円玉といった少額の硬貨も含まれる。そのため、利用者は、細かい少額の硬貨を街中にある自動販売機１を利用して、商品の購入のついでに指定口座に入金することができる。
【００６８】
第２に、利用者が指定口座からの引き落としを要求した場合、制御部９は、通信部８を介して指定口座情報格納サーバ３２に接続し、当該利用者の指定口座から要求された金額を引き落して釣り銭返却口７に要求された金額に相当する貨幣を送出させる動作の制御を行う。利用者から要求された金額が指定口座内の残高より多い場合、制御部９は、その手続を無効とする動作、または、残高を超えた部分を借入金として計算して指定口座に反映させかつ釣り銭返却口７に要求された金額に相当する貨幣を送出させる動作のいずれかの動作の制御を行う。そのため、利用者は、街中にある自動販売機１を利用して、現金の引き出しを行える。加えて、利用者は、商品購入の際に指定口座内の残高が足りない状況においても、その足りない分を指定口座を管理する金融機関から借り入れて、商品の購入を行うことができる。
【００６９】
第３に、利用者が、貨幣を貨幣投入口７へ投入して商品を購入する選択を行い、投入貨幣計算部３が、その投入された貨幣の金額を計算した結果、選択された購入商品の価格より当該投入金額が多く、釣り銭が発生した場合、制御部９は、当該釣り銭の全部の合算額、または当該釣り銭のうちの全ての１円玉及び５円玉を含む当該釣り銭の一部を、指定口座情報格納サーバに格納された当該利用者の指定口座に入金させる動作の制御を行う。この動作により、利用者は、１円玉及び５円玉といった細かい釣り銭を釣り銭返却口７から受け取らず、それを指定口座に入金することができる。
【００７０】
第４に、利用者が、貨幣を投入せずに商品を購入する選択を行う場合、制御部９は、通信部８を介して、指定口座情報格納サーバ３２に接続し、選択された商品の価格を当該利用者の指定口座から引き落とす動作の制御を行う。購入した商品の価格が利用者の指定口座内の残高より多い場合、制御部９は、その手続を無効とする動作、または、残高を超えた部分を借入金として計算して指定口座に反映させる動作のいずれかの制御を行う。
【００７１】
本実施の形態では、制御部９が、上記第１〜第４の動作の制御を、状況に応じて、適宜選択的に行う。
【００７２】
メモリー１５は、制御部９の制御により送受信された情報及びその履歴、ならびに各部の動作に関する情報を一時的に記憶しておく部位である。制御部９は、各部を制御する際に、このメモリー１５に一旦記憶されたデータに基づいてその制御を行う。
【００７３】
ディスプレイ１０は、自動販売機１の前面に配置されたＴＦＴ液晶画面で構成されている。このディスプレイ１０は、制御部９の制御により動作する。ディスプレイ１０は、利用者によって投入された貨幣の金額、商品の購入代金あるいは釣り銭の金額を表示させることができる。
【００７４】
また、ディスプレイ１０は、利用者が投入した貨幣を指定口座へ入金する場合の案内画面を表示することができる。また、ディスプレイ１０は、利用者が指定口座から現金の引き出しを行うための操作画面を表示することができる。さらに、ディスプレイ１０は、利用者が釣り銭を釣り銭返却口７に送り出すか、指定口座に振り込むかを利用者が選択するための画面を表示させることができる。さらに、利用者が釣り銭を指定口座に入金する選択をする場合において、ディスプレイ１０は、利用者が、その釣り銭の全部の合算額を指定口座に入金させるのか、あるいは釣り銭のうちの全ての１円玉及び５円玉を含む釣り銭の一部（例、釣り銭が１３８円の場合において１００円玉を除いた３８円）を指定口座に入金させるのかを選択するための画面を表示させることができる。加えて、ディスプレイ１０は、利用者が貨幣を投入せずに指定口座の残高を利用して商品を購入する際の操作画面を表示させることもできる。
【００７５】
上述したこれらの画面は、制御部９が起動した後に表示されるメニュー画面を利用した所定の操作によって表示される。なお、本実施の形態では、ディスプレイ１０を自動販売機１の前面に設けて、このディスプレイ１０を視認性のある案内表示部としているが、ディスプレイ１０に加え、音声案内も可能な自動販売機１としても良い。さらに、ディスプレイ１０を備えずに、音声案内のみを可能とした自動販売機１を採用しても良い。
【００７６】
なお、上述のように、本実施の形態では、利用者がシステム起動ボタンを押したり貨幣を投入することにより制御部９が起動した後に、ディスプレイ１０にメニュー画面が表示されるようになっている。しかし、メニュー画面を利用者が利用していない状況において表示させたり、この非利用状況においてインターネット２１経由で各種サーバからデータを送り、このディスプレイ１０に広告等の情報を表示させるようにしても良い。
【００７７】
商品ディスプレイ部１１は、自動販売機１により購入可能な商品の一部もしくは全部を利用者に見せるための部位である。商品ディスプレイ部１１は、自動販売機１の前面に配置され、商品群が模型もしくは画像（写真等を含む）で展示されたものとなっている。この商品ディスプレイ部１１に表示されている各商品の下部には、それぞれ商品選択ボタン１２が配置されている。利用者は、貨幣を投入したり指定口座からの引き落としを選択した後に、商品選択ボタン１２を押すことにより（この順番は逆でも良い）、選択した商品の購入が可能である。
【００７８】
情報入力部１３は、自動販売機１を用いてインターネット２１に接続して各種サーバから情報を引き出し、自動販売機１に種々の動作（預金の引き出しや入金等）を行わせる際のキー入力部となっている。なお、上述のディスプレイ部１０の表示画面をタッチパネル方式の入力画面とし、この情報入力部１３を設けないように構成しても良い。
【００７９】
上述のように構成された自動販売機１は、インターネット２１を介して金融システムに接続されている。利用者は、この自動販売機１及び自動販売機１を利用した金融システムを利用して、
１）貨幣を貨幣投入口２へ投入することにより、投入貨幣計算部３に、投入した貨幣の金額を計算させ、制御部９に、通信部８を介して指定口座情報格納サーバ３２に接続して指定口座に当該投入金額を入金させること、
２）指定口座からの引き落としを要求し、制御部９に、通信部８を介して指定口座情報格納サーバ３２に接続して、指定口座から要求した金額を引き落して釣り銭返却口７に当該要求した金額に相当する貨幣を送出させること、または要求した金額が指定口座内の残高より多い場合、その手続を無効とする動作、または残高を超えた部分を借入金として計算しそれを指定口座に反映させかつ釣り銭返却口７に当該要求した金額に相当する貨幣を送出させる動作のいずれかの動作を行わせること、
３）貨幣を貨幣投入口２へ投入して商品を購入する選択を行い、投入貨幣計算部３に、当該投入された貨幣の金額を計算させた結果、選択された商品の価格より当該投入金額が多く、釣り銭が発生した場合、制御部９に、当該釣り銭の全部の合算額、または当該釣り銭のうちの全ての１円玉及び５円玉を含む当該釣り銭の一部を指定口座に入金させること、
４）貨幣を投入せずに商品を購入する選択を行い、制御部９に、通信部８を介して指定口座情報格納サーバ３２に接続し、選択された商品の価格を指定口座から引き落とす動作をさせること、または購入した商品の価格が残高より多い場合にその手続を無効とする動作をさせること、もしくは残高を超えた部分を借入金として計算して指定口座に反映させる動作をさせること、
の上記１）から４）を選択的に行うことができるようになっている。なお、本実施の形態では、上記１）から４）の全部をどれでも選択的に行えるが、いずれか１つのみあるいは４つのうちの任意の複数個の行為を行うことが可能であっても良い。
【００８０】
上述したように構成された自動販売機１及び自動販売機１を利用した金融システムの機能及び動作について、上述した４つの行為の手順と共に、以下に説明する。
【００８１】
第１に、利用者が、貨幣を貨幣投入口２へ投入し、当該投入された貨幣を、指定口座情報格納サーバ３２に格納された、利用者の指定口座に入金する場合について、図４を用いて説明する。図４は、利用者が貨幣を指定口座に入金する際の動作について説明するためのフローチャート図である。
【００８２】
なお、消費税導入後、スーパーマーケット等で買い物をすると、日常的に１円玉または５円玉という、従来より有効活用されていない少額の小銭が財布の中に貯まっていくという現象がある。図４では、このように貯まっていく小銭を、自動販売機１へ投入し、所定の操作を行うことにより指定口座へ貯金していく動作について説明する。以下に説明する動作を行うことにより、少額の小銭を有効に「生きた金」として活用することができる。
【００８３】
まず、利用者が、システム起動ボタンを押すと、制御部９が起動する（ステップＳ１）。そして、自動販売機１の前面部に配置されたディスプレイ１０に表示された選択メニュー画面の中から、利用者が「預金する」を選択すると、制御部９がこの選択を受け付ける（ステップＳ２）。この選択動作は、情報入力部１３の入力キーを操作して行う。
【００８４】
次に、例えば、利用者が１円玉及び５円玉からなる少額の硬貨を含む貨幣（実際には、特に、券種は限らない）を貨幣投入口２へ投入すると、貨幣投入口２の内部に配置されたコインセンサーがコインが投入されたことを認識する（ステップＳ３）。本実施の形態では、硬貨は硬貨投入口２ａへ、紙幣は紙幣投入口２ｂへ、それぞれ投入される。そして、貨幣が投入されると、制御部９の制御により、投入貨幣計算部３が、貨幣投入口２に投入された貨幣の金額を計算し、計算した金額に関する情報を制御部９へ送る（ステップＳ４）。
【００８５】
次に、利用者は、「預金する」の次画面で、「ユーザ認証」の動作を開始する（ステップＳ５）。具体的には、ディスプレイ１０に、「ＩＣカードを挿入してください」というメッセージが表示された後、利用者は、ＩＣカードを認証部４のＩＣカード挿入口４ａに挿入し、次に、情報入力部１３を操作して暗証番号を入力すると、制御部９がユーザ認証の動作を開始させる。
【００８６】
制御部９の制御により、認証部４は、ＩＣカードから読み取った情報及び入力された暗証番号と同一の識別情報が認証サーバ３１内にあるか否かを、インターネットデータセンター２０に問い合わせる（ステップＳ６）。
【００８７】
なお、この情報送信の際、通信部８は、暗号文字発生器３４にインターネット２１を介して接続し、送信する情報に暗号文を付加する。これによって、外部に情報漏洩せずに情報を送信できる。以下、特に言及しない限り、各サーバ及びインターネットデータセンター２０と自動販売機１との間で情報の送信及び受信を行う場合には、暗号文字発生器３４で作成された暗号文が当該送信あるいは受信される情報に付加される。
【００８８】
インターネットデータセンター２０は、認証部４からの問い合わせに応じて、認証サーバ３１に問い合わせる。認証サーバ３１が、自動販売機１の認証部４に入力された識別情報と同一の情報が、認証サーバ３１内に格納されていることを確認すると、その認証情報をインターネットデータセンター２０に送信する。これを受けて、インターネットデータセンター２０が、当該情報を自動販売機１の通信部８へ返信する。
【００８９】
通信部８は、認証サーバ３１から受け取った認証情報を認証部４へ送る。認証部４は、認証サーバ３１からの情報を受け取ることにより利用者を認証し、ユーザ認証した旨を制御部９へ送る（ステップＳ６においてＹＥＳ）。制御部９は、認証部４からユーザ認証がなされた旨を受けて、次画面となる確認画面をディスプレイ１０に表示させる（ステップＳ７）。
【００９０】
確認画面には、利用者が投入した貨幣の金額に関する情報が表示される。利用者は、この確認画面において「確認」を選択しこれを制御部９がこれを認識すると（ステップＳ８においてＹＥＳ）、当該制御部９は、投入貨幣計算部３で計算された投入貨幣の金額に関する情報を、入金情報として通信部８を介してインターネットデータセンター２０に送信する。
【００９１】
なお、利用者は、確認画面において、「確認」の他に「キャンセル」及び「変更」を選択することができる。利用者が「キャンセル」を選択しこれを制御部９が認識すると（ステップＳ８においてＮＯでかつステップＳ１２においてＹＥＳ）、当該制御部９の制御により、指定口座への入金手続は途中でキャンセルされ、貨幣投入口２に投入された金額の貨幣が、貨幣保管部１４から釣り銭返却部７に返却される（ステップＳ１７）。これにより、一連の処理が終了する（ＥＮＤ）。なお、ディスプレイ１０には、釣り銭の金額に関する情報を表示させるようにしても良い。
【００９２】
また、利用者が「変更」を選択し制御部９がこれを認識すると（ステップＳ１２においてＮＯ）、当該制御部９の制御により、ディスプレイ１０に投入した金額を変更するための変更画面が表示される（ステップＳ１３）。例えば、５０円玉を投入した場合であって、利用者としては２０円を入金し、残額の３０円を現金で釣り銭として返却してもらいたい場合には、まず５０円を投入し、上述のステップＳ１〜ステップＳ８までの処理を行ってから、確認画面で金額の「変更」を選択する。これによって、変更画面が表示され、利用者が、この変更画面で入金したい金額を入力する（ステップＳ１４）。
【００９３】
制御部９は、投入貨幣計算部３に対して、メモリー１５に記録されていた投入金額から、変更画面で入力された入金額を差し引く計算を行わせる（ステップＳ１５）。すると、制御部９は、差額分に相当する貨幣が返却分か否かを判別する（ステップＳ１６）。この結果、返却分なら、制御部９は、釣り銭を釣り銭返却口７に返却する処理を行う（ステップＳ１７）。これによって、釣り銭の返却に関する一連の処理は終了する（ＥＮＤ）。なお、ディスプレイ１０には、釣り銭の金額に関する情報を表示させるようにしても良い。
【００９４】
一方、残りとなる入金額分は、上述した、利用者が「確認」を選択した場合の入金情報と同様に、通信部８からインターネット２１経由でインターネットデータセンター２０に送信される（ステップＳ１６においてＮＯ）。
【００９５】
ステップＳ８及びステップＳ１６において入金情報を得たインターネットデータセンター２０は、この入金情報を指定口座情報格納サーバ３２に送る。入金情報は、ＩＣカードから認証部４が読み取った利用者の指定口座の口座番号、及び投入貨幣計算部３が計算した投入貨幣の金額（入金額）から構成される。
【００９６】
指定口座情報格納サーバ３２は、入金情報が送信されてくると、この入金情報に伴って利用者の指定口座に入金された貨幣の金額を入金する。すなわち、貨幣投入口２に投入された貨幣が、利用者の指定口座に入金される（ステップＳ９）。インターネットデータセンター２０は、ここまでの一連のデータを記録する。なお、指定口座は、利用者が普段から使用している銀行の口座でも良いし、当該金融システムにのみ使用する特別な指定口座でも良い。
【００９７】
指定口座情報格納サーバ３２は、所定の指定口座への入金処理を終了すると、その情報をインターネットデータセンター２０へ送る。インターネットデータセンター２０は、インターネット２１を介して入金処理が終了した旨を、自動販売機１へ送信する（ステップＳ１０）。
【００９８】
自動販売機１の通信部８が、入金処理が終了した旨を受け取ると、これを制御部９へ送る。制御部９は、この情報に基づいて、ディスプレイ１０に入金処理が終了した旨を表示させる（ステップＳ１１）。これによって、一連の処理が終了する（ＥＮＤ）。なお、この時の表示は、単に入金処理が終了した旨を表示させるだけでなく、この入金によって変動した指定口座の残高に関する情報を表示させるのが望ましい。
【００９９】
なお、上述のステップＳ６でＮＯの場合、すなわち、認証サーバ３１の内部に、自動販売機１の認証部４に入力された識別情報と同一の情報が格納されていない場合、「カードが不正である」あるいは「暗証番号が違う」等、認証が不可能である旨の情報を自動販売機１の通信部８へ返信する（ステップＳ１８）。
【０１００】
通信部８は、この情報を受け取り、認証部４へ送る。認証部４は、認証サーバ３１からの情報を受け取ることにより、利用者が認証できない旨を認識し、この情報を制御部９へ送る。制御部９は、ディスプレイ１０にユーザ認証ができなかった旨、具体的には「カードが不正である」または「パスワードが違う」というメッセージを表示させる（ステップＳ１９）。
【０１０１】
そして、制御部９は、投入された金額に相当する貨幣を、貨幣保管部１４から釣り銭返却口７に返却させる（ステップＳ１７）。これによって、一連の処理が終了する（ＥＮＤ）。なお、ディスプレイ１０には、釣り銭の金額に関する情報を表示させるようにしても良い。
【０１０２】
第２に、利用者が、指定口座から現金を引き落として、その現金を釣り銭返却口７から取得するか、もしくは引き落とし金額が残高を上回る場合に上回った分を借入金として指定口座に反映させ、かつ要求金額を釣り銭返却口７から取得する場合について、図５を用いて説明する。
【０１０３】
なお、図５に示す動作によれば、図４に示す動作によってできた貯金を、街中に点在する自動販売機１を利用して引き出すことができる。図５は、利用者が指定口座から預金を引き出す動作を説明するためのフローチャート図である。
【０１０４】
まず、利用者が、システム起動ボタンを押すと、制御部９が起動する（ステップＳ２０）。そして、利用者が、自動販売機１の前面部に配置されたディスプレイ１０に表示された選択メニューの中から、「預金を引き出す」を選択すると、制御部９が受け付ける（ステップＳ２１）。この選択動作は、情報入力部１３の入力キーを操作して行う。
【０１０５】
次に、利用者は、「預金を引き出す」の次画面で、「ユーザ認証」を選択すると、制御部９がユーザ認証の動作を開始する（ステップＳ２２）。具体的には、ディスプレイ１０に、「ＩＣカードを挿入してください」というメッセージが表示される。利用者は、ＩＣカードを認証部４のＩＣカード挿入口４ａに挿入し、次に、情報入力部１３を操作して暗証番号を入力する。
【０１０６】
認証部４は、ＩＣカードから読み取った情報、及び入力された暗証番号と、同一の識別情報が認証サーバ３１内にあるか否かを、インターネットデータセンター２０に問い合わせる（ステップＳ２３）。
【０１０７】
この情報送信の際、通信部８は、暗号文字発生器３４にインターネット２１を介して接続し、送信する情報に暗号文を付加する。これによって、外部に情報漏洩せずに情報を送信できる。以下、特に言及しない限り、各サーバ及びインターネットデータセンター２０と自動販売機１との間で情報の送信及び受信を行う場合には、暗号文字発生器３４で作成された暗号文が当該送信あるいは受信される情報に付加される。
【０１０８】
インターネットデータセンター２０は、認証部４からの問い合わせに応じて、認証サーバ３１に問い合わせる。認証サーバ３１は、自動販売機１の認証部４に入力された識別情報と同一の情報が、認証サーバ３１内に格納されていることを確認すると、その認証情報をインターネットデータセンター２０に送信する。これを受けて、インターネットデータセンター２０は、当該情報を自動販売機１の通信部８へ返信する。
【０１０９】
通信部８は、認証サーバ３１から受け取った認証情報を認証部４へ送る。認証部４は、認証サーバ３１からの認証情報を受け取ることにより利用者を認証し、ユーザ認証した旨を制御部９へ送る（ステップＳ２３においてＹＥＳ）。制御部９は、認証部４からユーザ認証がなされた旨を受けて、次画面となる引き出し金額設定画面をディスプレイ１０に表示させる（ステップＳ２４）。
【０１１０】
一方、上述のステップＳ２３でＮＯの場合、すなわち、認証サーバ３１の内部に、自動販売機１の認証部４に入力された識別情報と同一の情報が格納されていない場合、認証部４は、「カードが不正である」あるいは「暗証番号が違う」等の認証が不可能であるという情報を、自動販売機１の通信部８へ返信する（ステップＳ３１）。
【０１１１】
通信部８は、この認証不可能であるという情報を受け取り、これを認証部４へ送る。認証部４は、認証サーバ３１からの情報を受け取ることにより、利用者が認証できない旨を認識し、この情報を制御部９へ送る。制御部９は、ユーザ認証ができなかった旨、具体的には「カードが不正である」または「パスワードが違う」というメッセージをディスプレイ１０に表示させる（ステップＳ３２）。
【０１１２】
制御部９は、ディスプレイ１０に手続をリトライ（再操作）するか終了するかを選択する画面を表示させる。利用者が手続のリトライを選択し、制御部９がこれを認識した場合（ステップＳ３３においてＹＥＳ）、再びステップＳ２２に戻って認証手続を行う。利用者がリトライを選択せずに手続終了を選択し、制御部９がこれを認識した場合（ステップＳ３３においてＮＯ）には、一連の処理が終了となる（ＥＮＤ）。
【０１１３】
利用者から引き出し金額の入力を受け付けると（ステップＳ２５においてＹＥＳ）、制御部９は、通信部８を介して、当該金額、ＩＣカードに記録された個人情報及び暗証番号を含む、引き出し要求に関する情報をインターネットデータセンター２０に送信する。
【０１１４】
利用者が、引き出し金額設定画面において「キャンセル」を選択し、引き出し金額の入力が受け付けられない場合には（ステップＳ２５においてＮＯ）、ステップ３３に進む。この確認画面で「ＯＫ」を選択すると（ステップＳ３３においてＹＥＳ）、これまでの操作を無効とし一連の処理が終了する（ＥＮＤ）。
【０１１５】
ステップＳ３３において、確認画面で「キャンセル」が選択されると、ステップＳ２２に戻る。なお、ステップＳ２２の認証前の状態に戻らず、引き出し金額設定画面に戻るようにしても良いし、認証後の確認画面に戻るようにしても良い。
【０１１６】
引き出し要求に関する情報を得たインターネットデータセンター２０は、この情報を指定口座情報格納サーバ３２に送る。指定口座情報格納サーバ３２は、引き出し要求に関する情報が送信されてくると、この情報に伴って利用者の指定口座から要求された引き出し金額以上の残高が、当該指定口座に存在するか否かを確認する（ステップＳ２６）。
【０１１７】
要求された引き出し金額以上の残高が指定口座に存在する場合（ステップＳ２６においてＹＥＳ）、指定口座情報格納サーバ３２は、引き出し要求に応じて要求された金額を引き出して支払う処理を行う（ステップＳ２７）。指定口座情報格納サーバ３２は、指定口座からの現金引き出し処理を行うと、その旨をインターネットデータセンター２０へ送る。インターネットデータセンター２０は、ここまでの一連のデータの送受信に関する情報を記録する。なお、指定口座は、利用者が普段から使用している銀行の口座でも良いし、当該金融システムにのみ使用する特別な指定口座でも良い。
【０１１８】
インターネットデータセンター２０は、指定口座情報格納サーバ３２が引き出し処理を行った旨を、自動販売機１へ送信する。自動販売機１の通信部８が、引き出し処理が行われた旨を受け取ると、これを制御部９へ送る。制御部９は、この情報に基づいて、貨幣保管部１４から釣り銭返却口７へ要求された金額を排出する（ステップＳ２８）。なお、釣り銭の金額に関する情報を、釣り銭を排出する前に、ディスプレイ１０に表示させるようにしても良い。
【０１１９】
上述したような流れで、一連の現金引き出し処理が終了する（ＥＮＤ）。このように、利用者は、自動販売機１を利用して指定口座から現金を引き出すことができる。換言すると、日常的に上記１）のように小銭を貯金しておき、必要となった場合に上記２）のように現金を引き出せば、１円玉または５円玉という、今まで流通市場であまり使用されずに消費者各人の家庭に貯められてしまっていた少額の硬貨を有効に使用でき、「生きた金」とすることができる。
【０１２０】
なお、制御部９は、上述の一連の処理中において、ディスプレイ１０に現金引き出し処理中である旨を表示させている。この表示において、単に現金引き出し処理中であることを表示し引き出し後において表示を終了させるようにしても良いし、この現金引き出しによって変動した指定口座の残高に関する情報を表示させても良い。
【０１２１】
一方、上述したステップＳ２６においてＮＯの場合、すなわち、要求された引き出し金額以上の残高が指定口座に存在しない場合、指定口座情報格納サーバ３２は、残高が足りない旨をインターネットデータセンター２０を経由して、自動販売機１に送信する。自動販売機１の通信部８は、当該情報を受けると、これを制御部９に送る。
【０１２２】
制御部９は、指定口座に残高が足りない旨をディスプレイ１０に表示させる。制御部９は、利用者から足りない金額分を指定口座を運営する金融機関から借入するか、それとも手続を終了または引き出す金額の変更を行うかの選択がなされたかを判別する（ステップＳ２９）。
【０１２３】
利用者から「借入」の選択を受け付けた場合（ステップＳ２９においてＹＥＳ）、制御部９は、通信部８を介してインターネットデータセンター２０に、借入をする旨の情報を送信する。インターネットデータセンター２０は、この情報を受け、指定口座情報格納サーバ３２に対し、借入の手続を行う旨の情報を送信する。指定口座情報格納サーバ３２は、この情報を受けて、指定口座に対して借入手続を行い、要求された金額を引き出して支払う処理を行う（ステップＳ３０）。
【０１２４】
このように、指定口座からの現金引き出し処理及び一部借入処理を行うと、指定口座情報格納サーバ３２は、その旨の情報をインターネットデータセンター２０へ送る。インターネットデータセンター２０は、ここまでの一連のデータの送受信に関する情報を記録する。この後の処理については、借入金のない通常の現金引き出し同様、ステップＳ２８へと進み、貨幣保管部１４から釣り銭返却口７へ要求された金額が排出される。これにより、一連の処理が終了する（ＥＮＤ）。
【０１２５】
このように、本実施の形態では、利用者は、残高不足となっていても、自動販売機１を利用して指定口座から現金を引き出すことができる。なお、釣り銭を返却する前に、ディスプレイ１０に釣り銭の金額に関する情報を表示させるようにしても良い。
【０１２６】
なお、利用者から「借入」の選択を受け付けない場合（ステップＳ２９においてＮＯ）には、ディスプレイ１０の表示が引き出し金額設定画面に戻る。この後、上述のステップＳ２４以降の処理と同様となり、改めて引き出す金額を変更して入力するか（引き出す金額を残高以下の金額に設定し直して入力するか）、あるいは処理手続自体をキャンセルするかが、利用者によって選択されることとなる。
【０１２７】
第３に、利用者が、貨幣を貨幣投入口２へ投入して商品を購入する際に発生する釣り銭を釣り銭返却口７へ返却させるか、指定口座情報格納サーバ３２に格納された、利用者の指定口座にその釣り銭相当分を入金させるかを選択する場合について、図６に基づいて説明する。なお、本発明では、釣り銭を指定口座に入金する場合、利用者は、釣り銭の全額を入金するのか、それとも端数となる１円玉及び５円玉を含む釣り銭の一部を入金し、１円玉及び５円玉を含まない残りを現金で引き出すのかを選択することができる。
【０１２８】
利用者は、自動販売機１で買い物をした際に発生した釣り銭を、所持したくない場合には貯金し、所持が必要な場合はに返却してもらうことができる。また、利用者は、商品購入時に発生した釣り銭のうち、通常、使用機会が少なく持ち歩く必要性の低い１円玉及び５円玉からなる端数の硬貨を、指定口座に入金することができる。図６は、利用者が自動販売機で買い物をした際に発生した釣り銭を、指定口座に入金するか返却してもらうかを選択できる機能について説明するためのフローチャート図である。
【０１２９】
まず、利用者は、貨幣を貨幣投入口２へ投入すると、自動販売機１の内部に配置された起動スイッチがオンになり、制御部９が起動する（ステップＳ４１）。次に、投入貨幣計算部３は、貨幣投入口２に投入された貨幣の金額を計算し、計算した金額に関する情報を制御部９へ送る（ステップＳ４２）。
【０１３０】
制御部９は、投入貨幣計算部３から送られてきた金額情報に基づき、投入された金額で購入可能な商品の商品選択ボタン１２を点灯させる（ステップＳ４３）。利用者が、点灯された購入可能な商品選択ボタン１２のいずれかを押すと、制御部９は、所望の商品の選択を受け付ける（ステップＳ４４）。なお、選択のために押すボタンは、１つでも複数でも良い。また、個数選択ボタンを設け、同一商品を複数個選択可能としても良い。この選択動作によって、制御部９は、その選択された商品を商品保管部５から商品取り出し口６へ排出させる（ステップＳ４５）。
【０１３１】
次に、制御部９は、投入貨幣計算部３に、投入された貨幣の金額と選択された商品価格の金額との差（釣り銭）を計算させ、釣り銭の有無を判別する（ステップＳ４６）。釣り銭が無い場合（ステップＳ４６においてＮＯ）、一連の処理は終了する（ＥＮＤ）。
【０１３２】
一方、釣り銭が発生する場合（ステップＳ４６においてＹＥＳ）、制御部９は、その釣り銭を釣り銭返却口７へ返却するか、利用者の指定口座に入金させるかのうち、いずれが選択させたかを判別する（ステップＳ４７）。
【０１３３】
利用者から釣り銭を釣り銭返却口７に返却させるという選択を受け付けた場合（ステップＳ４７においてＮＯ）、制御部９は、釣り銭に相当する金額の貨幣を、貨幣保管部１４から釣り銭返却口７に排出させる（ステップＳ４８）。なお、この釣り銭返却に関する動作は、ディスプレイ１０で操作せず、従来からある返却レバーなどによっても良い。これによって、釣り銭は返却され、一連の処理は終了する（ＥＮＤ）。
【０１３４】
利用者から釣り銭を利用者の指定口座に入金させるという選択を受け付けた場合（ステップＳ４７においてＹＥＳ）、制御部９は、「ユーザ認証」の動作を行い、認証できるかどうかを判断する（ステップＳ４９）。具体的には、以下の処理が行われる。まず、ディスプレイ１０に、「ＩＣカードを挿入してください」というメッセージが表示される。利用者は、ＩＣカードを認証部４のＩＣカード挿入口４ａに挿入し、次に、情報入力部１３を操作して暗証番号を入力する。
【０１３５】
認証部４は、ＩＣカードから読み取った情報及び入力された暗証番号と同一の識別情報が認証サーバ３１内にあるか否かを、通信部８を介してインターネットデータセンター２０に問い合わせる。
【０１３６】
なお、この情報送信の際、通信部８は、暗号文字発生器３４にインターネット２１を介して接続し、送信する情報に暗号文を付加する。これによって、外部に情報漏洩されずに情報の送受信を行うことができる。以下、特に言及しない限り、各サーバ及びインターネットデータセンター２０と自動販売機１との間で情報の送信及び受信を行う場合には、暗号文字発生器３４で作成された暗号文が当該送信あるいは受信される情報に付加される。
【０１３７】
インターネットデータセンター２０は、自動販売機１の認証部４からの問い合わせに応じて、認証サーバ３１に問い合わせる。認証サーバ３１は、自動販売機１の認証部４に入力された識別情報と同一の情報が認証サーバ３１内に格納されていることを確認すると、その認証情報をインターネットデータセンター２０に送信する。これを受けて、インターネットデータセンター２０は、当該情報を自動販売機１の通信部８へ返信する。
【０１３８】
通信部８は、認証サーバ３１から受け取った認証情報を認証部４へ送る。認証部４は、認証サーバ３１からの情報を受け取ることにより利用者を認証すると、ユーザの認証をした旨を制御部９へ送る。一方、認証できない場合には（ステップＳ４９においてＮＯ）、ステップＳ４７へ戻る。一方、ステップＳ４９においてＹＥＳの場合、制御部９は、認証部４からユーザ認証がなされた旨を受けて、次画面となる確認画面をディスプレイ１０に表示させる（ステップＳ５０）。
【０１３９】
制御部９は、利用者が確認画面において「確認」を選択したことを判別すると（ステップＳ５１においてＹＥＳ）、制御部９は、通信部８を介してインターネットデータセンター２０に入金情報を送信する。一方、制御部９は、利用者が確認画面において「キャンセル」を選択したことを判別すると（ステップＳ５１においてＮＯ）、再び、釣り銭を釣り銭返却口７へ返却するか、利用者の指定口座に入金させるかを利用者に選択させるための選択画面をディスプレイ１０に表示させる処理を行う。すなわち、ステップＳ４７へ戻る。
【０１４０】
ここで、ステップＳ５１において「確認」が選択された場合、利用者は、釣り銭の全額を指定口座に入金するか、それとも釣り銭の一部を指定口座に入金するかを選択可能である。すなわち、確認画面を利用して、釣り銭の一部となる金額を情報入力部１３から入力すると、入力額のみが指定口座に入力され、釣り銭の残金が現金で釣り銭返却口７に返却される。なお、確認画面に、端数となる硬貨のみを指定口座に入金することができる選択ボタンを設け、このボタンを選択すると、端数（１円玉と５円玉、またはこれらに１０円あるいは５０円等、任意の硬貨を加えたもの）のみが入金されるようにしても良い。
【０１４１】
さらに、本実施の形態のステップＳ５１では、図４に示したステップＳ８と同様のステップのように、確認画面において、「確認」の他に「キャンセル」及び「変更」が選択可能なステップであっても良い。この場合、「キャンセル」が選択されると釣り銭が釣り銭返却部７に返却される。一方、「変更」が選択されると、ディスプレイ１０に変更画面が表示され、釣り銭の全額でなく一部を預金できる。
【０１４２】
入金情報を得たインターネットデータセンター２０は、この入金情報を指定口座情報格納サーバ３２に送る。ここでいう、入金情報は、ＩＣカードから認証部４が読み取った利用者の指定口座の口座番号、及び貨幣計算部が計算した投入貨幣の金額（入金額）から構成される。
【０１４３】
指定口座情報格納サーバ３２は、入金情報が送信されてくると、この入金情報に伴って利用者の指定口座に入金された貨幣の金額を入金する。すなわち、商品購入後の釣り銭が、利用者の指定口座に入金される（ステップＳ５２）。インターネットデータセンター２０は、送受信された一連のデータに関する情報を記録する。なお、指定口座は、利用者が普段から使用している銀行の口座でも良いし、当該金融システムにのみ使用する特別な指定口座でも良い。
【０１４４】
指定口座情報格納サーバ３２は、所定の指定口座への入金処理を終了すると、その旨をインターネットデータセンター２０へ送る。インターネットデータセンター２０は、インターネット２１を介して入金処理が終了した旨を、自動販売機１へ送信する（ステップＳ５３）。
【０１４５】
自動販売機１の通信部８は、入金処理が終了した旨を受け取ると、これを制御部９へ送る。制御部９は、この情報に基づいて、ディスプレイ１０に入金処理が終了した旨を表示させる（ステップＳ５４）。これによって、一連の処理が終了する（ＥＮＤ）。なお、この時の表示は、単に入金処理が終了した旨を表示させるだけでなく、この入金によって変動した指定口座の残高に関する情報を表示させるのが望ましい。
【０１４６】
第４に、利用者が、貨幣を投入せずに、商品を購入する選択を行い、指定口座情報格納サーバ３２に格納された、利用者の指定口座から購入代金に相当する金額を引き落とすか、または購入した商品の価格が残高を上回る場合に上回った分を借入金として指定口座に反映させる場合について、図７に基づいて説明する。
【０１４７】
図７は、図４または図６に示された動作等で形成された貯金を使ってキャッシュレスで便利に買い物ができることを示すための図である。
【０１４８】
まず、利用者が、システム起動ボタンを押すと、制御部９が起動する（ステップＳ６０）。次に、利用者が、自動販売機１の前面部に配置されたディスプレイ１０に表示された選択メニューの中から「商品を購入する」を選択すると、制御部９は、この選択を受け付ける（ステップＳ６１）。この選択動作は、情報入力部１３の入力キーを操作して行う。
【０１４９】
次に、利用者から「ユーザ認証」を受け付けると、制御部９は、ユーザ認証の動作を開始する（ステップＳ６２）。具体的には、以下の処理が行われる。まず、ディスプレイ１０に、「ＩＣカードを挿入してください」というメッセージが表示される。利用者は、ＩＣカードを認証部４のＩＣカード挿入口４ａに挿入し、次に、情報入力部１３を操作して暗証番号を入力する。
【０１５０】
認証部４は、ＩＣカードから読み取った情報及び入力された暗証番号と同一の識別情報が認証サーバ３１内にあるか否かを、通信部８を介してインターネットデータセンター２０に問い合わせる。
【０１５１】
なお、この情報送信の際、通信部８は、暗号文字発生器３４にインターネット２１を介して接続し、送信する情報に暗号文を付加する。これによって、外部に情報漏洩されずに情報の送受信を行うことができる。以下、特に言及しない限り、各サーバ及びインターネットデータセンター２０と自動販売機１との間で情報の送信及び受信を行う場合には、暗号文字発生器３４で作成された暗号文が当該送信あるいは受信される情報に付加される。
【０１５２】
インターネットデータセンター２０は、自動販売機１の認証部４からの問い合わせに応じて、認証サーバ３１に問い合わせる。認証サーバ３１は、自動販売機１の認証部４に入力された識別情報と同一の情報が認証サーバ３１内に格納されていることを確認すると、その認証情報をインターネットデータセンター２０に送信する。これを受けて、インターネットデータセンター２０は、当該情報を自動販売機１の通信部８へ返信する。
【０１５３】
通信部８は、認証サーバ３１から受け取った認証情報を認証部４へ送る。認証部４は、認証サーバ３１からの情報を受け取ることにより利用者を認証すると、ユーザの認証をした旨を制御部９へ送る。一方、認証できない場合には（ステップＳ６３においてＮＯ）、制御部９が起動した直後のメニュー画面に戻る（ステップＳ６１に戻る）。
【０１５４】
次に、制御部９は、認証された利用者の指定口座に関する情報を、通信部８を介してインターネットデータセンター２０に問い合わせる。この情報送信の際も、通信部８は、暗号文字発生器３４にインターネット２１を介して接続し、送信する情報に暗号文を付加する。
【０１５５】
インターネットデータセンター２０は、自動販売機１の制御部９からの問い合わせに応じて、指定口座情報格納サーバ３２に、認証された利用者の指定口座の有無を問い合わせる（ステップＳ６４）。指定口座がある場合（ステップＳ６４においてＹＥＳ）、指定口座情報格納サーバ３２が、指定口座に関する情報をインターネットデータセンター２０に送信する（ステップＳ６５）。これを受けて、インターネットデータセンター２０は、当該情報を自動販売機１の通信部８へ返信する。
【０１５６】
通信部８は、指定口座情報格納サーバ３２から受け取った指定口座に関する情報を制御部９へ送る。制御部９は、この情報を受け取ることにより、利用者の指定口座内の残高を認識する。なお、指定口座が無い場合（ステップＳ６４においてＮＯ）、制御部９が起動した直後のメニュー画面に戻る（ステップＳ６１に戻る）。
【０１５７】
次に、制御部９は、商品の商品選択ボタンを点灯させる（ステップＳ６６）。利用者が、点灯された商品選択ボタン１２のいずれかを（１つでも複数でも良い。また同一商品を複数個選択しても良い）押すと、制御部９は、所望の商品の選択を受け付ける（ステップＳ６７）。
【０１５８】
制御部９は、選択された商品の購入代金を投入貨幣計算部３に計算させる。制御部９は、その計算の結果、指定口座内の残高が当該購入代金を上回っているか否かを判断する（ステップＳ６８）。残高の方が多い場合（ステップＳ６８においてＹＥＳ）、制御部９は、選択された商品を商品保管部５から商品取り出し口６へ排出させる（ステップＳ６９）。
【０１５９】
一方、ステップＳ６８においてＮＯの場合、制御部９は、指定口座に残高が足りない旨をディスプレイ１０に表示させる。利用者が、この画面で確認をした後、次画面で、足りない金額分を指定口座を運営する金融機関から借入するか、それとも手続を終了または引き出す金額の変更を行うかを選択し、この選択の結果を制御部９が識別する（ステップＳ７０）。
【０１６０】
利用者が「借入」を選択してこれを受け付けた場合（ステップＳ７０においてＹＥＳ）、制御部９は、通信部８を介してインターネットデータセンター２０に、借入をする旨を送信する。インターネットデータセンター２０は、この情報を受け、指定口座情報格納サーバ３２に対し、借入の手続を行う旨を送信する。指定口座情報格納サーバ３２は、この情報を受けて、指定口座に対して借入手続を行い、要求された金額を引き出して支払う処理を行う（ステップＳ７１）。一方、利用者が「借入」を選択せず、制御部９が「借入」を受け付けない場合（ステップＳ７０においてＮＯ）は、制御部９は、当該制御部９が起動した直後のメニュー画面を表示させる（ステップＳ６１に戻る）。
【０１６１】
上述したように、本実施の形態では、図４〜図７に示したように、上記１）から４）の動作を選択的に行えるようになっている。このため、街中等に存在する自動販売機１を利用して、１円玉及び５円玉という少額の硬貨を、指定口座に入金して貯金することができる。このため、自宅の貯金箱等に貯められた少額の硬貨を、有効に貯金し、「生きた金」とすることができる。
【０１６２】
加えて、本実施の形態の金融システムでは、街中の至る所に存在する身近な自動販売機１を利用することにより、少額の硬貨が蓄積された指定口座から現金を引き出せることとなり、さらに国民のインターネット利用率も向上する。
【０１６３】
また、このように少額の硬貨を積み立てて形成された貯金を、街中等に存在する自動販売機１を利用して高額の紙幣に換金したり、自動販売機１で買い物をしたりすることができ、利用者の利便性が向上すると共に、少額の硬貨の有効活用化が促進される。
【０１６４】
また、さらに、上述した金融システムによれば、国民の貯蓄率が今以上に高くなり、従来、自宅で眠っていた（単に貯金箱等に保管されていた）小銭の利用率及び回収率が向上する。このため、国家は、新規に少額の硬貨を作る場合に、その総数を抑えることが可能となり、国家経済にとっても有益なものとなる。
【０１６５】
なお、本実施の形態の金融システムにおいては、利用者は、ＰＤＡまたは携帯電話等の移動通信機器及びＰＣ４２等のクライアント端末を用いて、インターネット２１経由でインターネットデータセンター２０を介して指定口座情報格納サーバ３２に接続することができる。インターネットデータセンター２０には、当該金融システムの指定口座情報格納サーバ３２に連動するユーザサイトが設けられている。
【０１６６】
ユーザーサイトには、当該金融システムを利用する際に使用する利用者の指定口座を開設するための必要事項入力ページ及びインターネットショップが設けられている。利用者は、このユーザサイトに接続し、指定口座を開設したり、指定口座の残高を確認したり、この指定口座に蓄積された貯金を使ってインターネットショッピングを行うことができる。なお、インターネットショッピングを行う際の決済は、指定口座からの引き落としを利用することができる。
【０１６７】
なお、上述の実施の形態は、本発明の好適な実施の形態の例であるが、これに限定されるものではなく、本発明の要旨を逸脱しない範囲において種々変形実施可能である。
【０１６８】
例えば、上述した実施の形態の自動販売機１は、
▲１▼商品購入時に発生する釣り銭を指定口座に入金すること、
▲２▼商品購入時に発生する釣り銭のうち、１円玉及び５円玉を含む釣り銭の一部を指定口座に入金し、残りを釣り銭返却口７から返却させること、
▲３▼貨幣の投入を受け付け商品を購入させること、
▲４▼指定口座からの引き落としにより商品を購入させること、
をそれぞれ選択的に行うことができる。
【０１６９】
しかし、上述の実施の形態の自動販売機１に、さらに各種機能を付加し、上記▲１▼から▲４▼以外に、以下のことを行えるようにしても良い。以下に、上述の実施の形態の自動販売機１に、さらに構成及び各種機能を付加することにより、当該自動販売機１を利用して利用者が可能となる動作について、それぞれ変形例１及び２として説明する。
【０１７０】
まず、変形例１について説明する。この変形例１では、上述の実施の形態の自動販売機１の前面に、ディスプレイ１０に表示された情報もしくは表示されない情報をプリントアウト可能なプリンタ装置が備えられている。このプリンタ装置は、制御部９の制御によって動作する。また、自動販売機１は、ディスプレイ１０の初期画面もしくは初期画面のリンク先の画面に、「店舗検索」を可能な操作部が表示される。なお、「店舗検索」を可能とする操作部は、ディスプレイ１０の画面内に表示されて良いし、上述の商品選択ボタン１２のようにディスプレイ１０とは別に専用ボタンとして設けられていても良い。
【０１７１】
上述の通信機能を備えた自動販売機１には、インターネットデータセンター２０から定期的にあるいは不定期に、当該自動販売機１の付近の店舗情報が送信され、これがメモリーに記憶される。利用者によって「店舗検索」が操作されると、制御部９は、メモリーに記録された店舗情報の中から、利用者による検索条件に合致する情報をディスプレイ１０に表示させる。
【０１７２】
上述したようにインターネットデータセンター２０から自動販売機１へ送信されてくる店舗情報は、店舗情報検索システムに加入している自動販売機１付近の各店舗から、インターネットデータセンター２０へ送られ、インターネットデータセンター２０に格納されている。各店舗は、まず、通信機能を備えたクライアント端末を用いてインターネットデータセンター２０に接続して、当該インターネットデータセンター２０へ必要事項を送信することにより、店舗情報検索システムに加入する。
【０１７３】
次に、各店舗は、店舗の名称、店舗の住所、店舗の電話番号及び店舗のＦＡＸ番号、店舗の所在地の地図、取り扱い商品に関する情報、商品の割引に関する情報、営業時間等、種々の店舗に関する詳細な情報を、インターネットデータセンター２０へ送信する。これらの各店舗に関する詳細な情報の送信は、上述の店舗情報検索システムへの加入と同時でもよいし、加入後、所定期間を経過してからでも良い。また、各店舗は、一旦、送信し、インターネットデータセンター２０に格納された情報を更新することもできる。
【０１７４】
一方、インターネットデータセンター２０では、当該店舗情報検索システムを利用可能な各自動販売機１の所在地を把握している。インターネットデータセンター２０は、各店舗から送信されてきた店舗情報の中から当該店舗の所在地を認識し、当該店舗の所在地に近い（例えば、５００ｍ以内にある）自動販売機１へ受け取った店舗情報を送信する。このようにして、自動販売機１は、当該自動販売機１の付近に存在する店舗に関する情報を、インターネットデータセンター２０から受け取る。
【０１７５】
ここで、利用者が店舗情報検索に用いた自動販売機１からの距離に関しては、利用者が入力操作によって任意に設定できるものとしても良いし、自動的に設定されていても良い。また、検索範囲が自動的に設定されている場合には、繁華街地区と非繁華街地区とで、自動販売機１からの距離の設定が異なるように構成されていても良い。
【０１７６】
なお、この変形例１では、インターネットデータセンター２０から自動販売機１へ定期的に店舗情報を送信し、自動販売機１のメモリーに記憶されたデータの中から利用者が検索した条件に合致する情報をディスプレイ１０に表示するようにしている。しかし、利用者が店舗情報検索をする度に、自動販売機１がインターネットデータセンター２０へ検索条件に合致する情報を問い合わせて、検索結果をインターネットデータセンター２０から取得するようにしても良い。
【０１７７】
上述したように、自動販売機１は、利用者が店舗情報検索を行うと、メモリーに記憶されたデータまたはインターネットデータセンター２０に格納された情報の中から検索条件に合致した情報をディスプレイ１０に表示させる。ここで、利用者が「印刷する」を選択し、制御部９が受け付けると、ディスプレイ１０に表示された情報が、プリンタ装置からプリントアウトされる。
【０１７８】
これにより、利用者は、プリントアウトされた紙媒体を、自動販売機１から取得することができる。例えば、この紙媒体に記載された店舗情報に地図情報が含まれる場合、利用者は、この紙媒体を地図として利用することができる。また、このプリントアウトされた紙媒体は、店舗で使用することにより、所定のサービスを受けることが可能な「割引券」となっていても良い。
【０１７９】
このように、「割引券」を自動販売機１から取得できるものとすると、利用者は、自動販売機１の付近に存在する店舗で割引サービス（例えば、料金の割引または１杯目のドリンク無料サービス等）を受けることができ、利便性が向上する。一方、店舗側から見ると、利用者に自動販売機１を用いて店舗検索をしてもらい、その結果、店舗検索をした利用者に「割引券」を供給することにより、利用者に自店舗を訪れてもらうことができる。このため、各店舗は、自動販売機１を、宣伝効果の高い媒体として利用することができる。
【０１８０】
なお、従来より繁華街では、宣伝入りのティッシュペーパーまたはビラ等を通行人へ配ることにより、付近に自店舗が存在すること、及びその店舗で利用者が受けられるサービスの内容を、人海戦術によって宣伝することが行われている。
【０１８１】
しかし、この変形例１で示した店舗情報検索システムでは、この従来の方法とは異なり、街頭にビラ等を配る従業員を配置することなく、自動販売機１で店舗情報の検索をした利用者へ宣伝用の地図（割引券）を配布することができる。すなわち、店舗は、自分の目的を果たすために自動販売機１で検索をし、目的に合致した店舗を検索した利用者を、スムーズに自店舗へ導くことができる。その結果、従来のような、特に当該店舗に興味を示している訳ではない単なる通行人にビラ等を無差別に配布する宣伝行為に比べて、より効率良く顧客へのサービスを行うことができる。
【０１８２】
なお、この変形例１では、利用者が当該店舗検索システムに加入している各店舗で商品購入を行った場合、上述の実施の形態において自動販売機１で商品を購入した場合と同様となる。すなわち、店舗での商品購入の際、利用者は、店舗に対し、
▲１▼釣り銭を指定口座に入金すること、
▲２▼釣り銭のうち、１円玉及び５円玉を含む釣り銭の一部を指定口座に入金し、残りをその場で受け取ること
▲３▼貨幣（現金）により商品を購入すること、
▲４▼指定口座からの引き落としにより商品を購入すること、
をそれぞれ選択的に要求することができる。
【０１８３】
この場合、店舗に備えられたクライアント端末は、上述の実施の形態の自動販売機１に設けられた機能と同様の機能、すなわち、インターネットサーバー２０及び認証サーバ３１に問い合わせをし利用者の認証を行う機能、指定口座情報格納サーバ３２とデータの送受信をして利用者の指定口座に入金する機能及び指定口座から引き落としをする情報を備えている。このように構成すると、利用者にとって、利便性が向上する。一方、店舗側にとって、顧客への利便性を向上させることにより、顧客の獲得をスムーズなものとすることができる。
【０１８４】
次に、変形例２について説明する。この変形例２の構成も、上述の変形例１と同様、上述の実施の形態の自動販売機１に構成及び各種機能を付加することにより、当該自動販売機１を利用して、上述の実施の形態で可能な動作以外の動作がさらに行えるものである。
【０１８５】
この変形例２では、上述の実施の形態の自動販売機１が所定の一部屋に複数個設置されている。この所定の一部屋とは、例えば、ホテル内または学校内等に設置される自動販売機専用ルームである。この自動販売機専用ルーム内に設置された各自動販売機１で購入可能な商品は、自動販売機毎にそれぞれ別のものであるのが望ましい。すなわち、自動販売機専用ルームには、ジャンルの異なる各種商品群をそれぞれ取り扱う自動販売機１が複数（多数）設置された状態が望ましい。そして、当該所定の部屋の入り口には、商品検索用の手段、例えば、固定的に設置されたディスプレイ等が設けられている。商品検索用の手段の設置場所は、入り口に限らず、部屋の中央、あるいは部屋の外等でも良い。
【０１８６】
利用者は、商品検索用のディスプレイの前で、商品の選択及びユーザ認証等、上述の実施の形態に記載された自動販売機１での商品の購入に必要となる所定の操作を行うことにより、自動販売機専用ルーム内に設置されたいずれかの自動販売機を利用して、商品を購入することができる。すなわち、利用者は、商品検索用のディスプレイを利用して所望の商品を選択すると、この選択された商品を取り扱っている自動販売機１の商品取り出し口６へその商品が排出される。
【０１８７】
このため、利用者は、自動販売機専用ルーム内のいずれかの自動販売機１から所望の商品を取り出すことが可能となる。その結果、利用者は、自動販売機専用ルーム内を移動して、所望の商品が販売されている自動販売機１を探すこと無く、ディスプレイの前で商品の検索を行い、所望の商品を購入することができる。
【０１８８】
商品購入後、利用者は、ディスプレイに表示される地図情報の案内に基づいて、自動販売機専用ルーム内における、商品を購入した自動販売機の前に移動することができる。なお、この変形例２のように、ディスプレイの前で商品の購入を行う場合、利用者が商品購入をしてから所定の自動販売機１まで移動しその商品を商品取り出し口６から取り出すまでの間、商品取り出し口６を閉鎖するように構成するのが好ましい。そして、利用者が購入商品が排出された自動販売機１の前まで来て、上述の実施の形態と同様の認証を受けることにより、閉鎖された商品取り出し口６が開放され、内部の商品を取り出すことができるように構成するのが好ましい。
【０１８９】
このように構成された変形例２によれば、利用者は、現金による商品の購入の他に、
▲１▼商品購入時に発生する釣り銭を指定口座に入金すること、
▲２▼商品購入時に発生する釣り銭のうち、１円玉及び５円玉を含む釣り銭の一部を指定口座に入金し、残りをその場で受け取ること、
▲３▼指定口座からの引き落としにより商品を購入すること、
をそれぞれ選択的に行うことができる。
【０１９０】
この場合、商品検索用のディスプレイもしくは各自動販売機１のいずれか一方もしくは双方は、上述の実施の形態の自動販売機１に設けられた機能と同様の機能、すなわち、インターネットサーバー２０及び認証サーバ３１に問い合わせをし利用者の認証を行う機能、指定口座情報格納サーバ３２とデータの送受信をして利用者の指定口座に入金する機能及び指定口座から引き落としをする情報を備えている。
【０１９１】
なお、上述の商品検索用のディスプレイは、管理者（自動販売機１を管理する会社または当該自動販売機１を利用した金融システムを管理する会社等）側が自動販売機専用ルーム内に配置された各自動販売機１をリモートコントロールする機能を備えていても良い。例えば、管理者が、商品検索用のディスプレイを用いて、各自動販売機１のドアの開閉を行ったり、内部の商品管理（内部に残っている商品の個数の管理）を行ったり、内部の財政管理（内部に残っている貨幣の管理）を行ったりすることができるようにしても良い。
【０１９２】
また、本発明の要旨を逸脱しない範囲において、次のような変形も可能である。
【０１９３】
例えば、上述の実施の形態では、１円玉または５円玉からなる少額の硬貨を含む貨幣を、自分が開設した指定口座に入金する例を説明したが、これらの貨幣を社会奉仕、教育支援または社会公共事業等のための寄付金として振り込むシステムとしても良い。または、このような目的以外であっても、他人の指定口座に振り込むシステムとしても良い。
【０１９４】
また、上述の実施の形態では、ＩＣカードを自動販売機１のＩＣカード挿入口４ａに挿入しさらに暗証番号を入力することにより、利用者の認証を行うように構成したが、認証の方法は他の方法でも良い。例えば、暗号文字発生器３４が暗証番号を発行して利用者の携帯電話にメールで送信した暗証番号の入力を、認証時に利用者に対して要求するようにしても良い。また、ＩＣカードは、既存のＩＣテレフォンカードを再利用したものでも良い。加えて、認証方法を、指紋認証としても良い。
【０１９５】
また、上述の実施の形態では、インターネット２１に接続された自動販売機１を、上述の金融システムのツールとして使用する例について説明したが、自動販売機１は、通常のインターネット機能、例えば様々なサイトに接続しインターネット検索を行ったり、データをダウンロードしたり、電子メールをやり取りしたり等、の各種動作が可能な機能を有した、インターネット端末として使用できるようにしても良い。
【０１９６】
また、上述の実施の形態の自動販売機１に、無線ＬＡＮのためのアクセスポイントを設置し、自動販売機１付近で、利用者がＰＤＡまたはノートＰＣ等の移動通信機器を用いて、無線にてインターネットへ接続することが可能となるようにしても良い。このように構成すると、上述の実施の形態の自動販売機１を用いた金融システムを利用したい人が、当該自動販売機１の付近でＰＤＡまたはノートＰＣ等を操作して、インターネットデータセンター２０に接続して、当該金融システムに使用する指定口座を開設したり、指定口座の残高がいくらあるか等の詳細なデータにアクセスすることができる。
【０１９７】
【発明の効果】
以上説明したように、本発明の自動販売機及び自動販売機を利用した金融システムによれば、１円玉または５円玉という少額の硬貨を有効に「生きた金」として貯金したり利用したりすることができる。
【図面の簡単な説明】
【図１】本発明の自動販売機及び自動販売機を利用した金融システムの構成を示す図である。
【図２】図１の自動販売機の内部構成を示したブロック図である。
【図３】図２の自動販売機の外観斜視図である。
【図４】利用者が貨幣を指定口座に入金する機能について説明するためのフローチャート図である。
【図５】利用者が指定口座から預金を引き出す機能について説明するためのフローチャート図である。
【図６】利用者が自動販売機で買い物をした際に発生した釣り銭を、指定口座に入金するか返却してもらうかを選択することができる機能について説明するためのフローチャート図である。
【図７】利用者が指定口座の残高を使って自動販売機にて買い物をする機能について説明するためのフローチャート図である。
【符号の説明】
１  自動販売機
２  貨幣投入口
３  投入貨幣計算部
４  認証部（認証手段）
５  商品保管部
６  商品取り出し口
７  釣り銭返却口
８  通信部
９  制御部
１０  ディスプレイ
２１  インターネット
３１  認証サーバ
３２  指定口座情報格納サーバ
４１  モバイル
４２  パーソナルコンピュータ
【図１】
2004152228.tif 000003
【図２】
2004152228.tif 000004
【図３】
2004152228.tif 000005
【図４】
2004152228.tif 000006
【図５】
2004152228.tif 000007
【図６】
2004152228.tif 000008
【図７】
2004152228.tif 000009